(57)【要約】【課題】  ラックマウント型の機器とすることなく、小型化してラック内のデッドスペースに設置可能としたラック内環境監視装置を提供する。【解決手段】  電流、電圧、温度、湿度等の計測センサが接続される４個のアナログ信号入力端子１１ａと、入力されたアナログ信号をデジタル信号に変換するアナログ入力ＩＦ１１と、アナログ入力ＩＦ１１の出力信号から所定の演算を実施して計測センサに応じた計測データを算出する計測部１４と、計測データ、及び予め作成されたＷＥＢページデータを記憶する記憶部１６と、汎用通信ネットワークＮを介して外部機器２と通信を行う通信ＩＦ１７と、計測部１４の計測結果からＷＥＢページデータを作成する監視装置ＣＰＵ１５とを有する。【選択図】  図１
2016218910.tif 000002
【特許請求の範囲】
【請求項１】
複数の情報機器が収納されたラック内の環境を監視するラック内環境監視装置であって、
前記情報機器の電源電流、電源電圧、ラック内温度、ラック内湿度を計測してアナログ信号を出力する計測センサのうち、少なくとも電源電流、電源電圧の計測センサが接続される２乃至６個のアナログ信号入力部と、
入力されたアナログ信号をデジタル信号に変換するアナログ信号入力インターフェースと、
前記アナログ信号入力インターフェースの出力信号から所定の演算を実施して計測データを算出する計測部と、
前記計測データ、及び予め作成されたＷＥＢページデータを記憶する記憶部と、
汎用通信ネットワークを介して外部機器と通信を行う通信インターフェースと、
前記計測部の演算結果から前記ＷＥＢページデータを作成する制御部とを有することを特徴とするラック内環境監視装置。
【請求項２】
ラック扉の開閉を検知する扉センサ、人物の接近を検知する人感センサのうち少なくとも扉センサが接続される２乃至５個のデジタル信号入力部と、
前記ラック扉に設けられた電気錠、及び警報を発報する発報機器が接続される２乃至５個のデジタル信号出力部とを有し、
前記制御部は、前記電気錠の施解錠制御を行うと共に、前記電気錠が施錠状態において前記扉センサから前記ラック扉の開信号を受信したら、異常発生と判断して前記発報機器を発報動作させることを特徴とする請求項１記載のラック内環境監視装置。
【発明の詳細な説明】
【技術分野】
【０００１】
本発明は、サーバ等の情報機器が収納されたラック内の環境を監視するためのラック内環境監視装置に関する。
【背景技術】
【０００２】
従来より、サーバ等の情報機器が収納されたラック内の温度、湿度、更には消費電力等の環境を監視する環境監視装置がある。このような環境監視装置は、ラック内に収納される機器の設置スペースを削減しないように小型化するのが望ましいため、例えば特許文献１では収納機器と同様にラックに組み付けられる本体コントローラと必要に応じてラック内に組み込まれる温度監視装置或いは湿度監視装置が別体に構成され、必要最小限の機器のみ設置することで環境監視装置の占有スペースの削減が図られた。
【先行技術文献】
【特許文献】
【０００３】
【特許文献１】特開２００３−２１６２８８号公報
【発明の概要】
【発明が解決しようとする課題】
【０００４】
しかしながら、上記特許文献１の環境監視装置にしても、ラックに収納される機器と同様にラックマウントタイプの装置を有しており、本来収納すべき機器の設置空間を使用するものであった。そのため、収納される機器の設置スペースが当然削減された。
【０００５】
そこで、本発明はこのような問題点に鑑み、ラック監視に必要な機能を最小限としてラックマウント型の機器とすることなく、小型化してラック内のデッドスペースに設置可能としたラック内環境監視装置を提供することを目的としている。
【課題を解決するための手段】
【０００６】
上記課題を解決する為に、請求項１の発明は、複数の情報機器が収納されたラック内の環境を監視するラック内環境監視装置であって、情報機器の電源電流、電源電圧、ラック内温度、ラック内湿度を計測してアナログ信号を出力する計測センサのうち、少なくとも電源電流、電源電圧の計測センサが接続される２乃至６個のアナログ信号入力部と、入力されたアナログ信号をデジタル信号に変換するアナログ信号入力インターフェースと、アナログ信号入力インターフェースの出力信号から所定の演算を実施して計測データを算出する計測部と、計測データ、及び予め作成されたＷＥＢページデータを記憶する記憶部と、汎用通信ネットワークを介して外部機器と通信を行う通信インターフェースと、計測部の演算結果からＷＥＢページデータを作成する制御部とを有することを特徴とする。
この構成によれば、複数のアナログ信号入力部を有することで１台のラック内環境監視装置のみでラック１本の環境監視が可能となるし、アナログ信号を直接入力できるため別途Ａ／Ｄ変換手段を必要とせず、設置スペースは最小限で済む。そのため、ラック内のデッドスペースのみ使用した収納が可能となる。
【０００７】
請求項２の発明は、請求項１に記載の構成において、ラック扉の開閉を検知する扉センサ、人物の接近を検知する人感センサのうち少なくとも扉センサが接続される２乃至５個のデジタル信号入力部と、ラック扉に設けられた電気錠、及び警報を発報する発報機器が接続される２乃至５個のデジタル信号出力部とを有し、制御部は、電気錠の施解錠制御を行うと共に、電気錠が施錠状態において扉センサからラック扉の開信号を受信したら、異常発生と判断して発報機器を発報動作させることを特徴とする。
この構成によれば、センサの出力信号から異常発生を判断し、異常発生と判断したら警報発機器を発報動作させることができるため、異常発生に対処しやすい。
【発明の効果】
【０００８】
本発明によれば、複数のアナログ信号入力部を有することで１台のラック内環境監視装置のみでラック１本の環境監視が可能となるし、アナログ信号を直接入力できるため別途Ａ／Ｄ変換手段を必要とせず、設置スペースは最小限で済む。そのため、ラック内のデッドスペースのみ使用した収納が可能となる。
【図面の簡単な説明】
【０００９】
【図１】本発明に係るラック内環境監視装置を含む監視システム全体の構成図を示し、ラック内環境システムの要部を回路ブロック図で示している。
【図２】ラック内環境監視装置の外観図であり、（ａ）は正面図、（ｂ）は平面図、（ｃ）は背面図である。
【発明を実施するための形態】
【００１０】
以下、本発明を具体化した実施の形態を、図面を参照して詳細に説明する。図１は本発明に係るラック内環境監視装置を含む監視システム全体を示し、ラック内環境監視装置の要部を回路ブロック図で示している。１はラック内環境監視装置、２は遠隔地で監視するための外部機器、３はラック内に収納されたサーバ等の情報機器の電源電流を監視するための計測センサである電流センサ、４は同様に電源電圧を監視するための計測センサである電圧センサ、５はラック内の湿度を監視する計測センサである湿度センサ、６はラック扉の開閉を検知する扉センサ、７は人物の接近を検知する人感センサ、８はラック扉を施錠する電気錠、９は警報発報する発報機器としてのブザーである。
電流センサ３及び電圧センサ４はラックに引き込まれる図示しない電源線に対して設置され、湿度センサ５はラック内の所定位置に設置される。また１０はルータを示し、ラック内環境監視装置１は公衆通信ネットワークＮを介して外部機器２と通信が可能に構成されている。
【００１１】
尚、ラック内環境監視装置１はラック毎に設置されるため、複数のラックを監視する場合はラック内環境監視装置１も複数となり、公衆通信ネットワークＮを介してそれぞれが外部機器２と通信が可能となっている。
【００１２】
そして図１に示すように、ラック内環境監視装置１は、入力されたアナログ信号をデジタル信号に変換するＡ／Ｄ変換回路１１ｂを有して、所定のフォーマットのデジタル信号に変換して出力するアナログ信号入力インターフェース（アナログ入力ＩＦ）１１、入力されたデジタル信号を所定のフォーマットに変換して出力するデジタル信号入力インターフェース（デジタル入力ＩＦ）１２、接続された機器に合わせたデジタル信号を出力するデジタル信号出力インターフェース（デジタル出力ＩＦ）１３、アナログ入力ＩＦ１１が出力する信号から各種計測値を算出する計測部１４、ラック内環境監視装置１を制御する監視装置ＣＰＵ１５、計測データ、ＨＴＭＬ、更にＷＥＢ画像等を記憶する記憶部１６、外部機器２と通信する通信インターフェース（通信ＩＦ）１７等を備えている。
【００１３】
計測部１４はＩＣ化された演算回路で構成され、複数の計測センサの計測値を基に所定の演算を実施し、それぞれの計測センサに応じた計測データを出力する。具体的に、接続されている計測センサに合わせて計測部１４が演算するフォームは設定されており、例えば電流センサ３が接続された場合は、アナログ入力ＩＦ１１が出力するデジタル信号から電流値が演算され、例えば１秒の一定時間間隔で出力される。また、電圧センサ４等他の計測センサからの信号も同様であり、電圧値データ等が演算され一定時間間隔で出力される。
【００１４】
また、監視装置ＣＰＵ１５はラック内環境監視装置１全体の制御に加えて外部機器２との通信を制御するし、記憶部１６は計測結果の保存に加えて、データ表示のためのＨＴＭＬやＷＥＢページデータ等を記憶している。演算された個々のデータは記憶部１６に記憶される一方、ＷＥＢページ上で様々な形でグラフ化されたデータとしても保存される。
【００１５】
図２はラック内環境監視装置１の外観を示し、（ａ）は正面図、（ｂ）は平面図、（ｃ）は背面図である。図２に示すように、前面に４つのアナログ入力端子１１ａ、４つのデジタル入力端子１２ａ、４つのデジタル出力端子１３ａを備え、背面にはＬＡＮ接続端子１７ａを備えている。各アナログ入力端子１１ａは図１に示すようにアナログ入力ＩＦ１１に接続されている、各デジタル入力端子１２ａはデジタル入力ＩＦ１２に接続されている。更に、各デジタル出力端子１３ａにはデジタル出力ＩＦ１３が接続されている。
【００１６】
このように構成されたラック内環境監視装置１のケース寸法の一例を示すと、幅Ｗが１４０ｍｍ、奥行きＤが１００ｍｍ、高さＨが４４ｍｍとして作製できる。尚、図１に示す回路ブロック図は要部構成を示すもので、全ての端子やインターフェースを示しているわけではないため、図２の端子数とは一致していない。
【００１７】
このように、複数のアナログ入力端子１１ａ、デジタル入力端子１２ａを有することで１台のラック内環境監視装置１のみでラック１本の環境監視が可能となるし、アナログ信号を直接入力できるため別途Ａ／Ｄ変換手段を必要とせず、設置スペースは最小限で済む。そのため、ラック内のデッドスペースのみ使用した収納が可能となる。
【００１８】
一方外部機器２は、各種情報を表示するためのディスプレイ２１、ラック内環境監視装置１のＷＥＢページを表示するためのＷＥＢブラウザ２２、公衆通信ネットワークＮに接続する通信インターフェース（通信ＩＦ）２３等を備えており、例えばパーソナルコンピュータ（ＰＣ）が適用される。
【００１９】
このように構成された監視システムは次のように動作する。外部機器２からラック内環境監視装置１がアクセスを受けたら、監視装置ＣＰＵ１５の制御により、記憶部１６に記憶されているＷＥＢページ等が要求内容に従い送信され、外部機器２のディスプレイ２１にラック内の環境を示す各種データが表示される。
【００２０】
また、電気錠８が施錠状態にあるにも関わらず、監視装置ＣＰＵ１５が扉センサ６から開信号を受信したら、ラックがこじ開けられた可能性があると判断して、ブザー９が接続されているデジタル信号出力端子１３ａに対してデジタル出力ＩＦ１３を介して異常発生信号を出力させてブザー９を鳴動させる。更に、通信中の外部機器２に対しては異常発生を通知し、外部機器２のディスプレイ２１に異常発生が表示される。また、この状態で人感センサ７が作動したら、監視装置ＣＰＵ１５が不審者によりこじ開けられたと判断して、その旨を通知する。
このように、接続された扉センサ６等のセンサが異常発生を検知したら、ブザー９が発報動作するため、異常の発生に対処しやすい。
【００２１】
尚、上記実施形態では、ラック内環境監視装置１には４つのアナログ入力端子１１ａ、４つのデジタル入力端子１２ａ、４つのデジタル出力端子１３ａが設けられているが、これに限定するものではなく、アナログ入力端子１１ａは２〜６個、デジタル入力端子は２〜５個、デジタル出力端子も２〜５個設けることで、１本のラックに対して１個のラック内環境監視装置１のみで対応が可能となるし、装置自体をラックのデッドスペースに納めるサイズで留めることが可能となる。
また、計測センサを接続するアナログ入力端子１１ａのみ設けただけでも、ラック内の最低限の環境監視は可能であり、装置を更に小型化できる。
【符号の説明】
【００２２】
１・・ラック内環境監視装置、２・・外部機器、３・・電流センサ、４・・電圧センサ、５・・湿度センサ、６・・扉センサ、７・・人感センサ、８・・電気錠、９・・ブザー（発報機器）、１１・・アナログ信号入力インターフェース、１１ａ・・アナログ入力端子（アナログ信号入力部）、１１ｂ・・Ａ／Ｄ変換回路、１２ａ・・デジタル入力端子（デジタル信号入力部）、１３ａ・・デジタル出力端子（デジタル信号出力部）、１４・・計測部、１５・・監視装置ＣＰＵ（制御部）、１６・・記憶部、１７・・通信インターフェース。
【図１】
2016218910.tif 000003
【図２】
2016218910.tif 000004